(57)【要約】【課題】この発明は、穀物乾燥機の排風路内の塵埃堆積及び結露を防止するものである。【解決手段】この発明は、乾燥機本体内に上部から貯留部と乾燥部と集穀部とを設け、乾燥部内に通風部材により仕切られて貯留部と集穀部とを連絡する流穀路を設け、この流穀路の各側に熱風路と排風路とを設け、穀物を循環させる間に乾燥部の流穀路において穀物を熱風により乾燥する穀物乾燥機の風路構造において、排風路下端を集穀部内の排風室に開放して設け、排風路内の乾燥機本体の側面閉塞板側に独立した外気風路を設け、この外気風路は一端側に外部に開放される外気吸入口を設けるとともに他端側に排風室に開放される外気放出口を設けたことを特徴とする。【選択図】図１
2006170470.tif 000002
【特許請求の範囲】
【請求項１】
乾燥機本体内に上部から順次に穀物を貯める貯留部と穀物を乾燥する乾燥部と乾燥した穀物を集める集穀部とを設け、前記乾燥部内に通風部材により仕切られて貯留部と集穀部とを連絡する流穀路を設け、この流穀路の各側に熱風路と排風路とを設け、穀物を上部の貯留部から乾燥部を経て集穀部に導いた後に再び上部の貯留部に戻して循環させる間に、前記乾燥部の流穀路において穀物を熱風により乾燥する穀物乾燥機の風路構造において、前記排風路下端を集穀部内の排風室に開放して設け、前記排風路内の前記乾燥機本体の側面閉塞板側に独立した外気風路を設け、この外気風路は一端側に外部に開放される外気吸入口を設けるとともに他端側に前記排風室に開放される外気放出口を設けたことを特徴とする穀物乾燥機の風路構造。
【請求項２】
前記外気風路は、前記排風路の流穀路側と反対の前記乾燥機本体の側面閉塞板側を仕切る遮蔽部材と、この遮蔽部材が対峙する前記乾燥機本体の側面閉塞板と、この側面閉塞板が連絡する前記集穀部内の流穀板とにより形成したことを特徴とする請求項１に記載の穀物乾燥機の風路構造。
【発明の詳細な説明】
【技術分野】
【０００１】
この発明は穀物乾燥機の風路構造に係り、特に、排風路内の塵埃堆積及び結露を防止することができる穀物乾燥機の風路構造に関する。
【背景技術】
【０００２】
穀物乾燥機は、精米前の籾状態の米や麦等の穀物を乾燥するものであり、循環型や平型等の穀物乾燥機がある。
【０００３】
循環型の穀物乾燥機は、乾燥機本体内に上部から順次に穀物を貯める貯留部と穀物を乾燥する乾燥部と乾燥した穀物を集める集穀部とを設け、乾燥部内に通風部材により仕切られて貯留部と集穀部とを連絡する流穀路を設け、この流穀路の各側に熱風路と排風路とを設けている。
【０００４】
この穀物乾燥機は、穀物を上部の貯留部から乾燥部を経て集穀部に導いた後に再び上部の貯留部に戻して循環させる間に、乾燥部の流穀部において穀物に熱風路の熱風を作用させて排風路に排出することにより、穀物を乾燥するものである。
【０００５】
従来の穀物乾燥機の風路構造としては、流穀路下部の集穀部に繰出バルブを設け、繰出バルブ下側に穀物の案内樋を設け、繰出バルブ下方に集穀用の流穀樋を設け、熱風路下端を案内樋に向かって開放して設け、排風路下端を集穀樋に向かって開放して設け、熱風路下端の開放部位先端から排風路までの最短距離と流穀路の穀物層の穀層幅とを略同一に構成し、熱風路及び排風路内に塵埃が堆積することを防止したものがある。
【特許文献１】特開平１０−３００３４６号公報
【０００６】
また、従来の穀物乾燥機としては、貯留部の機壁を組み立てている鉄製のパネルの内側面に補強リブを溶接し、パネルの外側面に結露防止用の断熱材を貼着し、機壁の内側面に結露が生ずることを防止したものがある。
【特許文献２】特開２００１−３３１６０号公報
【発明の開示】
【発明が解決しようとする課題】
【０００７】
ところが、従来の穀物乾燥機の風路構造においては、流穀路下部の集穀部に繰出バルブを有する場合に、穀物の循環中に繰出バルブから落下した籾に混入している埃やゴミ等の塵埃を舞い上げてしまい、この舞い上げられた塵埃が繰出バルブ下側の集穀部に設けた集穀用の流穀板上に堆積してしまう問題がある。
【０００８】
このため、従来の穀物乾燥機の風路構造においては、乾燥毎に集穀部の流穀板上に堆積した塵埃を除去する作業を必要とする不都合がある。
【０００９】
また、従来の穀物乾燥機の風路構造においては、排風路の流穀路と反対の側を乾燥機本体の側面閉塞板で外部から仕切っている場合に、高温高湿の排風が外気で冷やされた側面閉塞板に直接触れ合うことから、側面閉塞板に結露が発生する問題がある。
【００１０】
このため、従来の穀物乾燥機の風路構造においては、流穀板上に堆積した塵埃が結露水によって固着してしまう不都合がある。
【課題を解決するための手段】
【００１１】
この発明は、乾燥機本体内に上部から順次に穀物を貯める貯留部と穀物を乾燥する乾燥部と乾燥した穀物を集める集穀部とを設け、前記乾燥部内に通風部材により仕切られて貯留部と集穀部とを連絡する流穀路を設け、この流穀路の各側に熱風路と排風路とを設け、穀物を上部の貯留部から乾燥部を経て集穀部に導いた後に再び上部の貯留部に戻して循環させる間に、前記乾燥部の流穀路において穀物を熱風により乾燥する穀物乾燥機の風路構造において、前記排風路下端を集穀部内の排風室に開放して設け、前記排風路内の前記乾燥機本体の側面閉塞板側に独立した外気風路を設け、この外気風路は一端側に外部に開放される外気吸入口を設けるとともに他端側に前記排風室に開放される外気放出口を設けたことを特徴とする。
【発明の効果】
【００１２】
この発明の穀物乾燥機の風路構造は、穀物の乾燥運転中に排風路から作用する静圧によって、外気吸入口から外気が外気風路に吸い込まれ、この外気が外気放出口から集穀部の排風室に放出されて排風路に流れ込む空気流を生じさせることになり、この空気流によって塵埃を排風路に流れ込ませるので、集穀部の流穀板上に塵埃が堆積することを防止することができ、乾燥毎の塵埃除去作業を不要にすることかできるとともに、この空気流によって高温高湿の排風が外気で冷やされた側面閉塞板に直接触れ合わないようにし、また、外気風路の空気を冷やして外気風路内の空気と外気との温度差を少なくし、側面閉塞板に結露が発生することを防止することができ、結露水による塵埃の固着を防止することができる。
【発明を実施するための最良の形態】
【００１３】
この発明の穀物乾燥機の風路構造は、穀物の乾燥運転中に外気を吸い込んで排風路に流れ込む空気流を生じさせ、この空気流によって集穀部の流穀板上に塵埃が堆積することを防止し、また、乾燥機本体の側面閉塞板に結露が発生することを防止するものである。
以下図面に基づいて、この発明の実施例を説明する。
【実施例】
【００１４】
以下図面に基づいて、この発明の実施例を説明する。図１は、この発明の実施例を示すものである。図１において、２は循環型の穀物乾燥機、４は乾燥機本体である。乾燥機本体４は、長手方向両端面の各端面閉塞板（図示せず）と幅方向両側面の各側面閉塞板６と下面の下面閉塞板８と上面の上面閉塞板（図示せず）とにより、長手方向に長い四角箱形状に形成されている。
【００１５】
穀物乾燥機２は、乾燥機本体４内に上部から順次に穀物を貯留する貯留部１０と、穀物を乾燥する乾燥部１２と、乾燥した穀物を集める集穀部１４とを設けている。
【００１６】
前記貯留部１０内には、図示しない揚穀機により揚上されて上部搬送手段により均分落下される穀物を貯留する貯留室１６を設けている。
【００１７】
前記乾燥部１２内には、多孔板や網状部材等からなる通気性を有する通風部材１８により仕切られて、貯留部１０の貯留室１６と集穀部１４の後述する排風室３２とを連絡するとともに乾燥機本体４の長手方向に延びる流穀路２０を設け、また、各流穀路２０の各側に乾燥機本体４の長手方向に延びる熱風路２２と排風路２４とを設けている。
【００１８】
前記通風部材１８は、熱風路側通風部材１８ａと排風路側通風部材１８ｂとからなる。前記排風路２４は、乾燥部１２の幅方向中央及び両外側に、排風路側通風部材１８ｂにより仕切って計３つを設けている。前記熱風路２２は、幅方向中央の排風路２４と両側の排風路２４との間に、熱風路側通風部材１８ａにより仕切って計２つを設けている。
【００１９】
前記流穀路２０は、中央の排風路２４と両側の熱風路２２との間及び両側の熱風路２２と両外側の排風路２４との間に、熱風路側通風部材１８ａと排風路側通風部材１８ｂとにより仕切って計４つを設けている。中央側の２つの流穀路２０は、上端よりも下端がやや中央側に位置するようにわずかに傾斜させて設けている。外側の２つの流穀路２０は、上端が幅方向外側に位置し、下端が中央側に位置するように大きく傾斜させて設けている。
【００２０】
幅方向中央の排風路２４は、両側を排風路側通風部材１８ｂにより仕切られて、上端及び下端を閉塞して設けている。幅方向中央の排風路２４は、上端から下端に向かってやや幅狭になるように形成して設けている。幅方向両外側の２つの排風路２４は、流穀路２０側を排風路側通風部材１８ｂにより仕切られ、流穀路２０と反対の側を乾燥機本体４の各側面閉塞板６により仕切られて、上端を閉塞するとともに下端を集穀部１４の後述する排風室３２に開放して設けている。幅方向両外側の排風路２４は、上端から下端に向かって次第に幅広になるように形成して設けている。
【００２１】
２つの熱風路２２は、両側を熱風路側通風部材１８ａにより仕切られ、上端及び下端を閉塞して設けている。２つの熱風路２２は、上端から下方に向かってわずかに拡開された後に下端に向って窄まるように形成して設けている。
【００２２】
前記集穀部１４内には、各流穀路２０下端の開口に乾燥機本体４の長手方向に延びる穀物の案内樋２６を設け、案内樋２６内に繰出バルブ２８を設けている。また、集穀部１４には、乾燥機本体４の各側面閉塞板６側の上端から互いに中央下方に窄まるように下降傾斜して穀物を集める２枚の流穀板３０を設け、２枚の流穀板３０上に排風室３２を形成している。集穀部１４には、２枚の流穀板３０が接合される中央下部に、乾燥機本体４の長手方向に延びる集穀樋３４を設け、この集穀樋３４内に下部搬送手段３６を設けている。
【００２３】
前記乾燥部１２には、幅方向両側の各側面閉塞板６に幅方向両外側に配設される排風路２４に連絡する投入口３８を設け、各投入口３８を開閉するとともに各側面閉塞板６の一部を形成する側面ホッパ４０を設けている。側面ホッパ４０は、下端を集穀部１４の排風室３２内の流穀板３０の上端近傍に連絡するように位置させ、この下端をヒンジ４２により回動可能に支持して設けている。
【００２４】
穀物乾燥機２は、投入口３８から投入された穀物を集穀部１４の流穀板３０により集め、下部搬送手段３６により図示しない揚穀機に搬送して揚上し、図示しない上部搬送手段により貯留部１０内に均分落下させ、乾燥部１２の流穀路２０において図示しないバーナ及び送風機により供給される熱風路２２の熱風を作用させて排風路２４に排出することにより穀物を乾燥し、乾燥した後の穀物を集穀部１４で集めて下部搬送手段３６により再び揚穀機下部に搬送して揚上するという循環を繰返す間に穀物を乾燥する。
【００２５】
この穀物乾燥機２の風路構造においては、幅方向両外側の排風路２４下端を集穀部１４内の排風室３２に開放して設け、この排風路２４内の側面閉塞板６側に独立した外気風路４４を設けている。外気風路４４は、排風路２４の流穀路２０側と反対の、側面閉塞板６の一部を形成する側面ホッパ４０側を仕切る遮蔽部材４６を設けている。外気風路４４は、この遮蔽部材４６と、この遮蔽部材４６が対峙する側面閉塞板６の一部を形成する側面ホッパ４０と、この側面ホッパ４０が連絡する集穀部１４内の流穀板３０の一部とにより、排風路２４内の側面閉塞板６側に形成して設けている。
【００２６】
この外気風路４４は、一端側に外部に開放される外気吸入口４８を設けるとともに、他端側に排風室３２に開放される外気放出口５０を設けている。外気吸入口４８は、側面ホッパ４０上端と側面閉鎖板６との間に設けている。外気放出口５０は、排風室３２内の上部の繰出バルブ２８近傍に設けている。
【００２７】
次に、この実施例の作用を説明する。
【００２８】
この穀物乾燥機２は、穀物を上部の貯留部１０から乾燥部１２を経て集穀部１４に導いた後に再び上部の貯留部１０に戻して循環させる間に、乾燥部１２の流穀路２０において穀物を熱風により乾燥する。
【００２９】
穀物乾燥機２は、穀物の乾燥運転中に、排風路２４から作用する静圧によって、外気吸入口４８から外気が外気風路４４に吸い込まれ、この外気が外気放出口５０から集穀部１４の排風室３２に放出されて排風路２４に流れ込む空気流を生じさせる。
【００３０】
これにより、この穀物乾燥機２の風路構造は、外気風路４４から排風路２４に流れ込む空気流によって塵埃を排風路２４に流れ込ませることができるので、集穀部１４の流穀板３０上や側面ホッパ４０上に塵埃が流れ込むことがなく、たとえ流れ込んでも空気流によって吹き飛ばすことができ、流穀板３０上や側面ホッパ４０上に塵埃が堆積することを防止することができ、乾燥毎の塵埃除去作業を不要にすることができる。
【００３１】
また、この穀物乾燥機２の風路構造は、この空気流によって高温高湿の排風が外気で冷やされた側面閉塞板６に直接触れ合わないようにし、また、外気風路４４の空気を冷やして外気風路４４内の空気と外気との温度差を少なくし、側面閉塞板６に結露が発生することを防止することができ、結露水による塵埃の固着を防止することができる。
【００３２】
さらに、この穀物乾燥機２の風路構造は、排風路２４の流穀路２０側と反対の側面ホッパ４０側を仕切る遮蔽部材４６を設けており、この遮蔽部材４６によって流穀路２４を仕切る排風路側通風部材１８ｂから落下する塵埃や異物の侵入を防止することができる。なお、この実施例においては、乾燥部１２の幅方向両側に側面ホッパ４０を設けたが、片側のみに設ける場合もある。この場合には、後述の如く、乾燥部１２の幅方向他側の側面閉塞板６に外気風路４４を設けることができる。
【００３３】
図２は、第１の変形例を示すものである。図２に示す穀物乾燥機２は、乾燥機本体４の乾燥部１２の幅方向中央に１つの熱風路２２を設け、乾燥部１２の幅方向両外側に計２つの排風路２４を設け、中央の熱風路２２と両外側の排風路２４との間に計２つの流穀路２０を設けている。
【００３４】
２つの流穀路２０は、両側を熱風路側通風部材１８ａと排風路側通風部材１８ｂとにより仕切られて、上端が幅方向外側に位置して下端が中央側に位置するように大きく傾斜させて設け、上端を貯留室１６側に向かい拡開して分岐部材５２により２方向に分岐して設けている。
【００３５】
幅方向中央の熱風路２２は、両側を熱風路側通風部材１８ａにより仕切られて上端及び下端を閉塞し、上端から下方に向かって拡開された後に下端に向って窄まるように形成して設けている。
【００３６】
両外側の２つの排風路２４は、流穀路２０側を排風路側通風部材１８ｂにより仕切られ、流穀路２０と反対の側を乾燥機本体４の各側面閉塞板６により仕切られて、上端を閉塞するとともに下端を集穀部１４の排風室３２に開放して設けている。幅方向両外側の排風路２４は、上端から下端に向かって次第に幅広になるように形成して設けている。
【００３７】
集穀部１４には、熱風路側通風部材１８ａと排風路側通風部材１８ｂとの下方延長線上に位置させて、集穀部用熱風路側通風部材１８ｃと集穀部用排風路側通風部材１８ｄとを設けている。集穀部１４には、これら集穀部用熱風路側通風部材１８ｃと集穀部用排風路側通風部材１８ｄとにより流穀路２０下端を集穀部１４内中間まで延長して設けるとともに、集穀部用排風路側通風部材１８ｄにより排風路２４下端を集穀部１４内中間まで延長して設けている。集穀部１４内には、流穀路２０下端の開口に乾燥機本体４の長手方向に延びる穀物の案内樋２６を設け、案内樋２６内に繰出バルブ２８を設けている。
【００３８】
また、集穀部１４には、２枚の流穀板３０上に排風室３２を形成し、２枚の流穀板３０が接合される中央下部に集穀樋３４を設け、この集穀樋３４内に下部搬送手段３６を設けている。
【００３９】
前記乾燥部１２には、幅方向一側の側面閉塞板６に一側の排風路２４に連絡する投入口３８を設け、投入口３８を開閉するとともに側面閉塞板６の一部を形成する側面ホッパ４０を設けている。側面ホッパ４０は、ホッパ外側部材４０ａとホッパ内側部材４０ｂとを隙間４０ｃを介して積層して形成され、ホッパ外側部材４０ａ下端を集穀部１４内の一側の流穀板３０上端にヒンジ４２により回動可能に支持して設けている。また、乾燥部１２の幅方向他側の側面閉塞板６は、側面外側部材６ａと側面内側部材６ｂとを隙間６ｃを介して積層して形成されている。
【００４０】
この穀物乾燥機２の風路構造は、集穀部１４内の排風室３２に下端を開放した排風路２４内の側面閉塞板６側に独立した外気風路４４を設けている。幅方向一側の外気風路４４は、一側の排風路２４の流穀路２０側と反対の側面閉塞板６の一部を形成する側面ホッパ４０側を仕切る乾燥部側遮蔽部材４６ａを設けるとともに、この乾燥部側遮蔽部材４６ａに連絡して集穀部１４内の排風路２４の流穀路２０側と反対の流穀板３０側を仕切って繰出バルブ２８近傍に達する集穀部側遮蔽部材４６ｂを設けている。また、幅方向他側の外気風路４４は、他側の排風路２４の流穀路２０側と反対の側面閉塞板６側を仕切る乾燥部側遮蔽部材４６ａを設けるとともに、この乾燥部側遮蔽部材４６ａに連絡して集穀部１４内の排風路２４の流穀路２０側と反対の流穀板３０側を仕切って繰出バルブ２８近傍に達する集穀部側遮蔽部材４６ｂを設けている。
【００４１】
外気風路４４は、これら乾燥部側遮蔽部材４６ａ及び集穀部側遮蔽部材４６ｂと、一側の乾燥部側遮蔽部材４６ａが対峙する側面ホッパ４０及び他側の乾燥部側遮蔽部材４６ａが対峙する側面閉塞板６と、この側面ホッパ４０及び側面閉塞板６が連絡するとともに集穀部側遮蔽部材４６ｂが対峙する流穀板３０の一部とにより、乾燥部１２及び集穀部１４の排風路２４内の側面閉塞板６側に形成して設けている。
【００４２】
この外気風路４４は、一端側の外部に開放される外気吸入口４８をホッパ外側部材４０ａとホッパ内側部材４０ｂとの間の隙間４０ｃ上端及び側面外側部材６ａと側面内側部材６ｂとの間の隙間６ｃ上端に設けるとともに、隙間４０ｃ下端及び隙間６ｃ下端が連絡する他端側に排風室３２中間の繰出バルブ２８近傍に開放される外気放出口５０を設けている。
【００４３】
これにより、この穀物乾燥機２の風路構造は、穀物の乾燥運転中に外気風路４４から排風路２４に流れ込む空気流を生じさせることによって、前述実施例と同様の効果を奏し得て、さらに、外気風路４４の外気放出口５０を排風室３２中間まで延長して、外気放出口５０を繰出バルブ２８近傍に開放して設けていることにより、繰出バルブ２８によって舞い上げられた塵埃のみならず、排風室３２下部の集穀樋３４近傍に舞い上がった塵埃をも排風路２４に流れ込ませることができ、流穀板３０上や側面ホッパ４０上に塵埃が堆積することを防止することができ、また、この空気流によって高温高湿の排風が側面閉塞板６に直接触れ合わないようにし、また、外気風路４４内の空気と外気との温度差を少なくし、側面閉塞板６に結露が発生することを防止することができ、結露水による塵埃の固着を防止することができる。
【００４４】
図３は、第２の変形例を示すものである。図３に示す穀物乾燥機２は、第１の変形例と略同様に構成されており、乾燥機本体４の乾燥部１２の幅方向中央に１つの熱風路２２を設け、乾燥部１２の幅方向両外側に計２つの排風路２４を設け、中央の熱風路２２と両外側の排風路２４との間に計２つの流穀路２０を設け、２つの流穀路２０の上端を貯留室１６側に向かい拡開して分岐部材５２により２方向に分岐して設けている。
【００４５】
集穀部１４には、集穀部用熱風路側通風部材１８ｃと集穀部用排風路側通風部材１８ｄとにより流穀路２０下端を集穀部１４内中間まで延長して設けるとともに、集穀部用排風路側通風部材１８ｄにより排風路２４下端を集穀部１４内中間まで延長して設け、集穀部１４中間まで延長した流穀路２０下端の開口に案内樋２６を設け、案内樋２６内に繰出バルブ２８を設けている。
【００４６】
また、乾燥部１２には、幅方向一側の側面閉塞板６に設けた投入口３８を開閉する側面ホッパ４０を設けている。この側面ホッパ４０は、ホッパ外側部材４０ａとホッパ内側部材４０ｂとを隙間４０ｃを介して積層して形成され、ホッパ外側部材４０ａ下端を乾燥部１２内に延長した流穀板３０上端にヒンジ４２により回動可能に支持して設けている。また、乾燥部１２の幅方向他側の側面閉塞板６は、側面外側部材６ａと側面内側部材６ｂとを隙間６ｃを介して積層して形成されている。
【００４７】
この穀物乾燥機２の風路構造は、集穀部１４内の排風室３２に下端を開放した排風路２４内の側面閉塞板６に独立した外気風路４４を設けている。幅方向一側の外気風路４４は、一側の排風路２４の流穀路２０側と反対の側面閉塞板６の一部を形成する側面ホッパ４０側を仕切る１つの遮蔽部材４６を設けるとともに、この遮蔽部材４６の下端を集穀部１４内の流穀路２０中間近傍まで延長して設けている。また、幅方向他側の外気風路４４は、他側の排風路２４の流穀路２０側と反対の側面閉塞板６側を仕切る乾燥部側遮蔽部材４６ａを設けるとともに、この乾燥部側遮蔽部材４６ａに連絡して集穀部１４内の排風路２４の流穀路２０側と反対の流穀板３０側を仕切って繰出バルブ２８近傍に達する集穀部側遮蔽部材４６ｂを設けている。
【００４８】
外気風路４４は、遮蔽部材４６と、一側の遮蔽部材４６が対峙する側面ホッパ４０及び他側の遮蔽部材４６が対峙する側面閉塞板６と、この側面ホッパ４０及び側面閉塞板６が連絡するとともに集穀部１４内に延長された遮蔽部材４６が対峙する流穀板３０上部とにより、排風路２４内の側面閉塞板６に形成して設けている。
【００４９】
この外気風路４４は、一端側の外部に開放される外気吸入口４８をホッパ外側部材４０ａとホッパ内側部材４０ｂとの間の隙間４０ｃ上端及び側面外側部材６ａと側面内側部材６ｂとの間の隙間６ｃ上端に設けるとともに、隙間４０ｃ下端及び隙間６ｃ下端が連絡する他端側に排風室３２中間の繰出バルブ２８近傍に開放される外気放出口５０を設けている。
【００５０】
これにより、この穀物乾燥機２の風路構造は、穀物の乾燥運転中に外気風路４４から排風路２４に流れ込む空気流を生じさせることによって、前述実施例、第１の変形例と同様の効果を奏し得て、さらに、遮蔽部材４６を１つとして集穀部１４内の流穀路２０中間近傍まで延長して設けていることにより、第１の変形例に対して部品点数を削減しながら同様の効果を奏することができるものである。
【産業上の利用可能性】
【００５１】
この発明の穀物乾燥機の風路構造は、空気流によって集穀部の流穀板上に塵埃が堆積することを防止し、また、外気風路を形成する側面閉塞板に結露が発生することを防止することができるものであり、穀物以外の物品の乾燥機にも適用することができる。
【図面の簡単な説明】
【００５２】
【図１】実施例を示す穀物乾燥機の貯留部及び集穀部の断面図である。
【図２】第１の変形例を示す穀物乾燥機の貯留部及び集穀部の断面図である。
【図３】第２の変形例を示す穀物乾燥機の貯留部及び集穀部の断面図である。
【符号の説明】
【００５３】
２  穀物乾燥機
４  乾燥機本体
６  側面閉塞板
１０  貯留部
１２  乾燥部
１４  集穀部
１８  通風部材
２０  流穀路
２２  熱風路
２４  排風路
２６  案内樋
２８  繰出バルブ
３０  流穀板
３２  排風室
３４  集穀樋
３６  下部搬送手段
４０  側面ホッパ
４４  外気風路
４６  遮蔽部材
４８  外気吸入口
５０  外気放出口
【図１】
2006170470.tif 000003
【図２】
2006170470.tif 000004
【図３】
2006170470.tif 000005